(57)【要約】自己給電装置（３）の電圧を入力して蓄電するエネルギー蓄積部（５）、および自己給電装置（３）の電圧が予め設定した下限値未満となったときエネルギー蓄積部（５）に蓄積された電力によりバイパス部（４）を短絡動作させるバイパス部駆動装置（６）を備え、これにより、短絡動作の閾値となる上述の電圧下限値を適切に設定することで、セル変換器（１００ａ）が故障しても迅速で確実な短絡保護動作が実現し、電力変換装置として常に安全に運転継続させることが可能となる。
2016002319.tif 000002
【特許請求の範囲】
【請求項１】
互いに直列に接続された複数台のセル変換器からなる電力変換装置であって、
前記各セル変換器は、スイッチング素子とコンデンサとから構成された主回路、この主回路を外部に導出するための一対の外部端子、この一対の外部端子の間を短絡可能なバイパス部、前記スイッチング素子をオンオフ制御することにより前記一対の外部端子と前記コンデンサとの間で電力変換を行うゲート駆動装置、および前記コンデンサの電圧を入力して前記ゲート駆動装置に給電する自己給電装置を備えた電力変換装置において、
前記自己給電装置の電圧を入力して蓄電するエネルギー蓄積部、および前記自己給電装置の電圧が予め設定した下限値未満となったとき前記エネルギー蓄積部に蓄積された電力により前記バイパス部を短絡動作させるバイパス部駆動装置を備えた電力変換装置。
【請求項２】
前記自己給電装置と前記エネルギー蓄積部とを接続する給電線に、給電方向に逆行する電流を阻止するダイオードを挿入した請求項１記載の電力変換装置。
【請求項３】
前記バイパス部は、前記短絡動作後、当該短絡動作を保持するラッチ機能を備えた請求項１または請求項２に記載の電力変換装置。
【請求項４】
前記バイパス部は、前記ラッチ機能として、永久磁石の磁気吸引力を利用したものを採用した真空スイッチである請求項３記載の電力変換装置。
【請求項５】
前記バイパス部は、前記ラッチ機能として、その解除が人力操作でのみ可能なものを採用した機械スイッチである請求項３記載の電力変換装置。
【請求項６】
前記エネルギー蓄積部に蓄積可能な蓄電容量として、前記バイパス部駆動装置による前記バイパス部の短絡動作を１回実行可能な最小限の容量に設定する請求項１から請求項５のいずれか１項に記載の電力変換装置。
【請求項７】
前記バイパス部駆動装置は、前記バイパス部を短絡動作させた後開放指令を受けたとき、前記エネルギー蓄積部に蓄積された電力により前記ラッチ機能を解除するとともに前記バイパス部を開放動作させるようにした請求項３または請求項４に記載の電力変換装置。
【請求項８】
前記エネルギー蓄積部は、コンデンサである請求項１から請求項７のいずれか１項に記載の電力変換装置。
【請求項９】
前記エネルギー蓄積部は、蓄電池である請求項１から請求項７のいずれか１項に記載の電力変換装置。
【発明の詳細な説明】
【技術分野】
【０００１】
この発明は、互いに直列に接続された複数台のセル変換器からなる電力変換装置に係り、特に、セル変換器の故障時に当該セル変換器をバイパスする技術に関するものである。
【背景技術】
【０００２】
モジュラー・マルチレベルコンバータ（ＭＭＣ）は、ＩＧＢＴなどのオンオフ制御可能なスイッチング素子と直流コンデンサとで構成されたセル変換器の出力端子を互いに直列に接続することで、スイッチング素子の耐圧以上の電圧を出力できる回路方式であり、直流送電システム（ＨＶＤＣ）や無効電力補償装置（ＳＴＡＴＣＯＭ）などへの応用が期待されている回路方式である。【０００３】
例えば、特許文献１によれば、ＭＭＣは複数のセル変換器を直列（カスケード）接続して構成されている。各セル変換器は、スイッチング素子と直流コンデンサから構成された主回路と、他のセル変換器とカスケード接続するための外部端子と、外部端子の両端に接続するバイパス手段と、主回路の直流コンデンサからエネルギーを得てバイパス手段等を駆動する自給電源とを有する。【０００４】
そして、スイッチング素子をオンオフ制御することにより、外部端子間の電圧を、該セル変換器の有する直流コンデンサの電圧か、または零に制御できる。バイパス手段は、セル変換器が故障した場合に当該セル変換器の出力を短絡可能なノーマリーオンの短絡スイッチであり、この短絡スイッチによって故障したセル変換器の出力は短絡されるため、セル変換器が故障してもシステムとして運転継続させることも可能である。【０００５】
即ち、セル変換器１０５毎にバイパス手段としてノーマリーオンの短絡スイッチ２０９が出力端子に並列に接続されている。自給電源２０８は、直流コンデンサ２０３と並列に接続され、短絡スイッチ２０９の駆動電力を自給電源２０８から供給する。
セル変換器１０５が停止した場合、自給電源２０８から駆動電力が供給されなくなるため、短絡スイッチ２０９が自己オンすることでセル変換器１０５の出力が短絡され、セル変換器１０５が１台故障しても電力変換装置として運転継続させることが可能となる。
【先行技術文献】
【特許文献】
【０００６】
【特許文献１】特許第５３７８２７４号公報（請求項１１、段落０１００〜０１０２、図１、２等参照）
【発明の概要】
【発明が解決しようとする課題】
【０００７】
但し、従来の特許文献１の電力変換装置の場合、ノーマリーオンの短絡スイッチ２０９が自己で短絡動作を行うには、この短絡スイッチ２０９に供給されている自給電源２０８からの電圧が短絡動作可能なレベルにまで自然低下するのを待つ必要があり、故障の種別によっては、故障発生から短絡動作までに長時間経過する可能性がある。
更に、自給電源２０８からの電圧が短絡動作可能なレベル付近で上下に変動することで短絡スイッチ２０９の短絡動作がチャタリングを起こして不安定となる恐れがあり、これらに伴い、電力変換装置の運転が一時的に継続出来ない可能性が生じる。【０００８】
この発明は、上述のような課題を解決するためになされたもので、セル変換器が故障しても電力変換装置として常に安全に運転継続させることが可能な電力変換装置を提供することを目的とする。
【課題を解決するための手段】
【０００９】
この発明に係る電力変換装置は、互いに直列に接続された複数台のセル変換器からなる電力変換装置であって、各セル変換器は、スイッチング素子とコンデンサとから構成された主回路、この主回路を外部に導出するための一対の外部端子、この一対の外部端子の間を短絡可能なバイパス部、スイッチング素子をオンオフ制御することにより一対の外部端子とコンデンサとの間で電力変換を行うゲート駆動装置、およびコンデンサの電圧を入力してゲート駆動装置に給電する自己給電装置を備えた電力変換装置において、
自己給電装置の電圧を入力して蓄電するエネルギー蓄積部、および自己給電装置の電圧が予め設定した下限値未満となったときエネルギー蓄積部に蓄積された電力によりバイパス部を短絡動作させるバイパス部駆動装置を備えたものである。
【発明の効果】
【００１０】
以上のように、この発明に係る電力変換装置は、特に、自己給電装置の電圧を入力して蓄電するエネルギー蓄積部、および自己給電装置の電圧が予め設定した下限値未満となったときエネルギー蓄積部に蓄積された電力によりバイパス部を短絡動作させるバイパス部駆動装置を備えたので、短絡動作の閾値となる上述の電圧下限値を適切に設定することにより、セル変換器が故障しても迅速で確実な短絡保護動作が実現し、電力変換装置として常に安全に運転継続させることが可能となる。
【図面の簡単な説明】
【００１１】
【図１】この発明の実施の形態１による電力変換装置の構成を示す図である。
【図２】図１のバイパス部４の動作タイミングを、従来例と比較して示すタイミングチャートである。
【図３】図１のバイパス部４として真空スイッチを適用した場合の動作を説明する図である。
【図４】この発明の実施の形態２による電力変換装置のバイパス部４の動作タイミングを示すタイミングチャートである。
【図５】コンデンサ２の充電動作に係る現象を説明する図である。
【図６】この発明の実施の形態３による電力変換装置のバイパス部４の動作タイミングを示すタイミングチャートである。
【発明を実施するための形態】
【００１２】
実施の形態１．
図１は、この発明の実施の形態１による電力変換装置の構成を示す図である。電力変換装置は、互いに直列に（カスケード）接続されたセル変換器１００ａ、１００ｂ、１００ｃ・・・を備えている。以下、代表して、セル変換器１００ａを同１００としてその内部構成について説明する。
【００１３】
ＩＧＢＴなどのオンオフ制御可能なスイッチング素子１ａ、１ｂが互いに直列に接続されこれにコンデンサ２が接続されて主回路５０を構成している。なお、各スイッチング素子１ａ、１ｂには、それぞれダイオードが逆並列に接続されている。この主回路５０は、一対の外部端子Ｘ１、Ｘ２により外部に導出され、他のセル変換器１００ｂ、１００ｃと接続される。そして、これら外部端子Ｘ１、Ｘ２には、バイパス部４が接続されている。
【００１４】
更に、主回路５０のコンデンサ２の電圧を入力し、後述するゲート駆動装置９およびエネルギー蓄積部５に給電する自己給電装置３を備えている。
なお、自己給電装置３としては、主回路５０の動作で変動するコンデンサ２の高電圧を一定の低電圧に変換するＤＣ／ＤＣコンバータで構成するのが普通である。
【００１５】
ゲート駆動装置９は、第一給電線７を介して自己給電装置３から給電される電力に基づき、スイッチング素子１ａ、１ｂをオンオフ制御することにより一対の外部端子Ｘ１、Ｘ２とコンデンサ２との間で電力変換を行い、外部端子Ｘ１、Ｘ２の間に、コンデンサ２の電圧または零電圧を出力する。
【００１６】
エネルギー蓄積部５は、第一給電線７を介して自己給電装置３の電圧を入力して蓄電する。第一給電線７のエネルギー蓄積部５に接続される部分には、後述する理由により、給電方向に逆行する電流を阻止するためのダイオード１０を挿入するのが望ましい。
【００１７】
なお、エネルギー蓄積部５としては、コンデンサや電気二重層などの蓄電池を採用することが出来る。
前者のコンデンサの場合は、一般に蓄電池より安価であり、また、容量のバリエーションに優れているため、適切な容量の選択が容易という利点がある。
後者の蓄電池を採用した場合は、自然放電の量が少なく、自己給電装置３からの電力をより効率的に蓄電できるという利点がある。
【００１８】
バイパス部駆動装置６は、第二給電線８を介してエネルギー蓄積部５に蓄積された電力を入力し、後段の図２で説明するように、自己給電装置３の電圧が予め設定した下限値未満となったとき当該蓄積された電力によりバイパス部４を短絡動作させる。
【００１９】
次に、セル変換器１００の故障発生によりバイパス部４を短絡動作させて当該セル変換器１００をバイパスする保護動作について説明するが、先ずその前段で、セル変換器１００の故障の内容について説明する。
【００２０】
セル変換器１００の故障として想定される事象を列挙してその故障内容を示すと以下の通りである。
１）スイッチング素子１ａの開放故障：この場合、コンデンサ２の接続ラインが開放状態となるので、コンデンサ２の電圧が低下し、自己給電装置３の出力電圧低下に至る。
２）スイッチング素子１ｂの開放故障：この場合、コンデンサ２の電圧を増加させる動作モードしか存在しなくなり、コンデンサ２が最終的に過電圧により開放故障してコンデンサ２の電圧が低下し、自己給電装置３の出力電圧低下に至る。
３）コンデンサ２の開放故障：この場合、コンデンサ２の電圧が低下し、自己給電装置３の出力電圧低下に至る。
４）ゲート駆動装置９の故障：この場合、スイッチング素子１ａ、１ｂが動作しなくなり、それに伴い、コンデンサ２に電圧が供給されなくなり、自己給電装置３の出力電圧低下に至る。
５）自己給電装置３自体の故障：自己給電装置３の出力電圧が低下し、その結果、ゲート駆動装置９およびエネルギー蓄積部５への給電が途絶える。
【００２１】
以上のように、セル変換器１００を構成する部品の故障は、バイパス部４を除いてすべて自己給電装置３の出力電圧低下という現象に帰結することから、この実施の形態では、バイパス部駆動装置６が、自己給電装置３の出力電圧を監視し、これが予め設定した下限値未満となったときこれを検知してエネルギー蓄積部５に蓄積された電力エネルギーによりバイパス部４を短絡動作させる。
【００２２】
この故障検知時点では、自己給電装置３の出力電圧は大幅に低下、または零となっており、自己給電装置３からの給電は期待できないが、それまでにエネルギー蓄積部５に蓄積されたエネルギーの残量でバイパス部４を確実に短絡動作させることが出来る。
上述したように、第一給電線７のエネルギー蓄積部５に接続される部分にダイオード１０を挿入しておけば、たとえ、自己給電装置３の出力端が短絡状態になってもエネルギー蓄積部５に蓄積されたエネルギーは、故障した自己給電装置３側に放出されることなく、バイパス部４の短絡動作に確実に活用されるわけである。
【００２３】
次に、以上の故障時の保護動作を、従来の場合と比較して図２により説明確認する。
図２（ａ）は、本願発明の場合で、時刻ｔ０でセル変換器１００内で故障が発生すると、これに伴い、自己給電装置３の出力電圧が低下を始める。この出力電圧が時刻ｔ１で設定下限値に達すると直ちにバイパス部駆動装置６が動作してバイパス部４は、時刻ｔ２で速やかに短絡状態となる。
【００２４】
この短絡動作により、エネルギー蓄積部５に蓄積されていたエネルギー残量は、下段の特性カーブに示すように、それまでのフルのレベルから１回の短絡動作に費やすエネルギーを減じたレベルまで低下することになる。
【００２５】
以上に対し、図２（ｂ）に示す従来の場合は、バイパス部には自己給電装置に接続されたノーマリーオンの短絡スイッチが使用されているので、同じく、時刻ｔ０でセル変換器内に故障が発生した後、自己給電装置の出力電圧が低下を始め、この出力電圧が、短絡スイッチが自己短絡動作可能となる自己オンレベルにまで低下する時刻ｔ３での短絡動作となる。この結果、故障発生からバイパス部の短絡動作までに大きな時間差が生じることになる。
【００２６】
逆にこの発明の場合は、短絡動作の閾値となる電圧下限値を適切に設定することにより、セル変換器１００が故障しても迅速で確実な短絡保護動作が実現し、電力変換装置として常に安全に運転継続させることが出来る。
【００２７】
次に、バイパス部４の具体的な構成とそのラッチ機能について説明する。即ち、バイパス部４は、自己給電装置３が故障から復帰して再開放指令を受け取るまでは短絡動作を保持する必要があるため、バイパス部４には、短絡動作後、当該短絡動作を保持するラッチ機能を備える必要がある。
【００２８】
ラッチ機能の例をバイパス部４の種類毎に説明する。先ずは、バイパス部４を真空スイッチで構成する場合について説明する。
真空スイッチは、真空状態になったバルブの中で接点を開閉するものであり、絶縁に必要な距離を短く出来るので小型化が可能で、かつ高速な短絡動作を実現できる。駆動力は、主に、永久磁石の吸引力やばねを用いる方式が広く知られているが、それらの動作にはバイパス部駆動装置６による強力な駆動力が必要となる。
【００２９】
図３は、バイパス部４として真空スイッチを適用した場合の動作を説明する図である。図３（ａ）〜図３（ｃ）は、それぞれ、短絡動作、短絡動作状態の保持、および開放動作の原理を説明する図である。
【００３０】
当初の開放状態からコイル１３３を励磁すると、コイル電流による磁束φｃによってプランジャ１１０と中央脚１２２との間に吸引力が発生し、可動鉄心１３０は、図中下方向に移動し始める。この可動鉄心１３０の動作に伴い、連結された可動接点が短絡方向へ移動する。短絡動作が完了すると、図３（ｂ）に示すように、コイル１３３の励磁を解除し、永久磁石１３２の吸引力のみで短絡動作状態を保持する。
この段階では、中心軸の周囲に配置された遮断ばねと接圧ばね（図示せず）はいずれも蓄勢された状態となっており、次の開放動作に備える。
【００３１】
開放動作では、図３（ｃ）に示すように、短絡動作時と逆方向の電流をコイル１３３に流す。このとき、コイル電流による磁束φｃは、永久磁石１３２による磁束φｐｍを打ち消すように作用するため、プランジャ１１０と中央脚１２２との間の吸引力が低下する。これにより、接圧ばねおよび遮断ばねの力が上回るようになると、可動鉄心１３０は、図中上方向に移動し同時に開閉接点が開放される。
【００３２】
以上のように、この種の真空スイッチでは、永久磁石の磁気吸引力を利用したラッチ機能が備えられており、短絡動作後、自己給電装置３の故障でコイルへの電流の供給が絶たれても、バイパス部４は、短絡状態を保持することができる。
【００３３】
また、バイパス部４としては、ばね方式の機械スイッチを使用することも出来る。機械スイッチは、真空スイッチと比べると大型で短絡動作が低速であるものの安価で入手が容易である。短絡動作を行うにはバイパス部駆動装置６による強力な駆動力が必要となる。
駆動力は、主にばねを用いる方式が広く知られているが、それらの動作には電源の供給が必要である。ラッチ機構を設けることで短絡動作後には機械的にラッチされるので、人力でラッチを解除しなければ短絡動作を継続することが可能である。
【００３４】
以上のように、この発明の実施の形態１による電力変換装置は、自己給電装置３の電圧を入力して蓄電するエネルギー蓄積部５、および自己給電装置３の電圧が予め設定した下限値未満となったときエネルギー蓄積部５に蓄積された電力によりバイパス部４を短絡動作させるバイパス部駆動装置６を備えたので、短絡動作の閾値となる上述の電圧下限値を適切に設定することにより、セル変換器１００が故障しても迅速で確実な短絡保護動作が実現し、電力変換装置として常に安全に運転継続させることが可能となる。
【００３５】
更に、自己給電装置３とエネルギー蓄積部５とを接続する第一給電線７に、給電方向に逆行する電流を阻止するダイオード１０を挿入したので、たとえ、自己給電装置３の出力端が短絡状態になってもエネルギー蓄積部５に蓄積されたエネルギーは、故障した自己給電装置３側に放出されることなく、バイパス部４の短絡動作に確実に活用される。
【００３６】
また、バイパス部には、短絡動作後、当該短絡動作を保持するラッチ機能を備えたので、短絡動作後、自己給電装置３の故障でバイパス部駆動装置６への給電が絶たれても、バイパス部４は、短絡状態を保持することができ、電力変換装置としての運転を支障なく継続させることが出来る。
【００３７】
実施の形態２．
先の実施の形態１では、バイパス部４として、永久磁石の磁気吸引力を利用してラッチさせるものを例示したが、その場合の課題と解決策について、この実施の形態２で説明する。
【００３８】
即ち、エネルギー蓄積部５の容量が比較的大きい場合、先の図２（ａ）のタイミングチャートに示したように、バイパス部４の短絡動作駆動用にエネルギーを使用しても、バイパス部４を再度駆動可能なエネルギーが残っていることが考えられる。
バイパス部４のラッチ機能が機械的ではない、例えば、永久磁石の磁気吸引力を利用した方式である場合、先の図３（ｃ）に示すように、誤ってコイルに短絡動作とは逆方向の電流を与えるとバイパス部４が開放動作を行ってしまい、電力変換装置として運転継続が出来なくなってしまう。
【００３９】
その防止策として、エネルギー蓄積部５に蓄積可能な蓄電容量として、バイパス部駆動装置６によるバイパス部４の短絡動作を１回実行可能な最小限の容量に設定する。
図４は、この場合の、バイパス部４の動作タイミングを示すタイミングチャートで、バイパス部４の短絡動作駆動用にエネルギーを使用するとエネルギー蓄積部５のエネルギー残量がほぼ零になっており、たとえ、誤ってコイルに短絡動作時とは逆方向の電流を流す操作がなされたとしても、実際にバイパス部４を駆動するエネルギーが存在しないので、バイパス部４の開放動作が確実に防止される。
【００４０】
以上のように、この発明の実施の形態２による電力変換装置は、エネルギー蓄積部５に蓄積可能な蓄電容量として、バイパス部駆動装置６によるバイパス部４の短絡動作を１回実行可能な最小限の容量に設定したので、短絡動作後の誤操作によるバイパス部４の開放動作が確実に防止される。
【００４１】
実施の形態３．
先の実施の形態１および２では、いずれかのセル変換器１００内で故障が発生したとき当該セル変換器１００のバイパス部４を迅速確実に短絡動作させることで、常に安全に運転の継続が可能となる電力変換装置について説明した。
これに対し、この実施の形態３は、セル変換器１００の故障ではなく、従って、電力変換装置としては正常であるが、系統短絡事故等、電力変換装置の外部における事故により、電力変換装置が停止しすべてのセル変換器１００の自己給電装置３の出力電圧が低下して全バイパス部４が短絡動作した場合を想定したものである。
【００４２】
この場合は、外部事故が除去され系統が回復すると、当然ながら電力変換装置の速やかな運転再開が期待される。この実施の形態３は、その期待に応えるため創案されたものである。
【００４３】
図５は、コンデンサ２の充電動作に係る現象を説明するもので、電力変換装置の稼働中、同図（ａ）、（ｂ）に示すように、スイッチング素子１ｂをオフ制御するタイミングで、外部端子Ｘ１から流入した電流は上側のダイオードを介してコンデンサ２に供給されコンデンサ２を充電する。これによって、自己給電装置３はコンデンサ２から電圧が供給され動作可能となる。
【００４４】
ここで、上述したように、外部事故が発生して電力変換装置が停止すると、セル変換器１００への電流の流入が絶たれ、コンデンサ２の電圧は低下し、先の実施の形態で説明したように、やがて設定下限値に至るとバイパス部４が短絡動作する。
【００４５】
そして、バイパス部４が一旦短絡状態になると、その後、たとえ、電流が流入しても、図５（ｃ）に示すように、電流はほとんどバイパス部４のみに流れコンデンサ２は充電されない。
この結果、バイパス部にノーマリーオンの短絡スイッチを使用する従来の場合は、たとえ、外部事故が除去され系統が回復しても、バイパス部を外部の何らかの動力源により開放操作しない限り、電力変換装置を再稼働させることが出来ない。
【００４６】
これに対し、この発明では、先の実施の形態１で説明したように、エネルギー蓄積部５に蓄積された電力によりバイパス部４を駆動する方式を採用したので、この電力変換装置の再稼働が可能となる。但し、先の実施の形態２とは異なり、エネルギー蓄積部５として、少なくとも、バイパス部４の短絡動作を１回実行し、更に、その短絡動作後、バイパス部４を開放動作させるに必要な容量を持ったものとする必要がある。
【００４７】
図６は、この発明の実施の形態３による電力変換装置のバイパス部４の動作タイミングを示すタイミングチャートである。
図６において、時刻ｔ０で電力変換装置が停止し、時刻ｔ１で自己給電装置３の出力電圧が設定下限値まで低下すると、バイパス部駆動装置６は、故障検出とみなして直ちにエネルギー蓄積部５に蓄積された電力によりバイパス部４を短絡動作させる（時刻ｔ２）。
【００４８】
その後、外部事故が除去され系統が回復し、その後、バイパス部駆動装置６は時刻ｔ４で開放指令を受けると、先の図３（ｃ）で示したように、エネルギー蓄積部５に蓄積された残電力により直ちにバイパス部４のラッチ機能を解除するとともにバイパス部４を開放動作させる（時刻ｔ５）。
【００４９】
なお、以上では、電力変換装置自体は異常でなく外部事故の発生で停止した場合の再稼働対策について説明したが、セル変換器の故障で当該セル変換器のバイパス部が短絡動作し、その後、当該セル変換器が故障状態から回復した場合の当該セル変換器の再稼働対策にも同様に適用できる。
【００５０】
以上のように、この発明の実施の形態３による電力変換装置のバイパス部駆動装置６は、バイパス部４を短絡動作させた後開放指令を受けたとき、エネルギー蓄積部５に蓄積された電力によりバイパス部４のラッチ機能を解除するとともにバイパス部４を開放動作させるようにしたので、エネルギー蓄積部５の容量を適切に設定することにより、セル変換器１００、電力変換装置の速やかな再稼働が実現する。
【００５１】
なお、本発明は、その発明の範囲内において、各実施の形態を自由に組み合わせたり、各実施の形態を適宜、変形、省略することが可能である。
【図１】
2016002319.tif 000003
【図２】
2016002319.tif 000004
【図３】
2016002319.tif 000005
【図４】
2016002319.tif 000006
【図５】
2016002319.tif 000007
【図６】
2016002319.tif 000008
【国際調査報告】
2016002319.tif 000009
2016002319.tif 000010
2016002319.tif 000011
2016002319.tif 000012